(57)【要約】【課題】  パイプの連結構造において、連結作業の簡易を図ること。【解決手段】  パイプ２０、３０の連結構造であって、オスパイプ２０の挿入部２１をメスパイプ３０の開口部３１に挿入し、オスパイプ２０の突起２３をメスパイプ３０のガイド溝３２に進入させ、オスパイプ２０を正回転して該突起２３をメスパイプ３０のガイド溝３２から係止溝３３に係入し、両パイプ２０、３０を連結可能にし、ロックリング４０を軸方向に移動して突片状ストッパ４１をガイド溝３２と係止溝３３の交差部外に位置付け、オスパイプ２０を逆回転してオスパイプ２０の突起２３を該係止溝３３からガイド溝３２に脱出させ、該突起２３を該ガイド溝３２から退出させつつオスパイプ２０の挿入部２１をメスパイプ３０の開口部３１から引き抜き可能にするもの。【選択図】  図３
2007082723.tif 000002
【特許請求の範囲】
【請求項１】
オスパイプの挿入部の外周の基端側に拡径部を設けるとともに、該挿入部の外周の先端側に突起を設け、
メスパイプの開口部の内周に開口端から延びるガイド溝を設け、該開口部の内周の奥側にガイド溝に交差する係止溝を設けるとともに、該メスパイプのガイド溝と係止溝の交差部を含む軸方向の一定範囲に渡る貫通孔を設け、
メスパイプの外周にロックリングを被着するとともに、ロックリングの内面に設けた突片状ストッパをメスパイプの貫通孔に貫入し、ロックリングをメスパイプの軸方向に移動することにより、突片状ストッパをガイド溝と係止溝の交差部の内外に位置付け可能にし、
オスパイプの挿入部をメスパイプの開口部に挿入し、オスパイプの突起をメスパイプのガイド溝に進入させ、オスパイプを正回転して該突起をメスパイプのガイド溝から係止溝に係入し、両パイプを連結可能にし、
ロックリングを軸方向に移動して突片状ストッパをガイド溝と係止溝の交差部外に位置付け、オスパイプを逆回転してオスパイプの突起を該係止溝からガイド溝に脱出させ、該突起を該ガイド溝から退出させつつオスパイプの挿入部をメスパイプの開口部から引き抜き可能にするパイプの連結構造。
【請求項２】
前記オスパイプの拡径部をメスパイプの内径より小さい径から大きい径まで拡径し、
前記メスパイプの開口端から係止溝までの距離ａを、オスパイプの拡径部を含む基端部から突起までの距離ｂより大きく、オスパイプの拡径部の拡径開始点から突起までの距離ｃより小さく設定する請求項１に記載のパイプの連結構造。
【請求項３】
前記ロックリングがメスパイプの外周に弾発的抱着力により被着し、該ロックリングの突片状ストッパの頂部がガイド溝に臨む面取部を備え、
前記ロックリングの内面に設けた停留凸部がメスパイプの貫通状係止溝に係脱する請求項１又は２に記載のパイプの連結構造。
【発明の詳細な説明】
【技術分野】
【０００１】
本発明は清掃具の柄等に用いて好適なパイプの連結構造に関する。
【背景技術】
【０００２】
特許文献１に記載の如くの清掃具の柄では、複数のパイプを連結して長尺の柄を形成する。パイプの連結構造としては、一方のパイプ端に設けたおねじ部と他方のパイプ端に設けためねじ部を螺合するものが採用されている。
【特許文献１】特開2004-8415
【発明の開示】
【発明が解決しようとする課題】
【０００３】
従来のパイプの連結構造では、一方のパイプ端に設けたおねじ部と他方に設けたパイプ端に設けためねじ部を螺合するものであるため、連結作業に手間がかかる。
【０００４】
本発明の課題は、パイプの連結構造において、連結作業の簡易を図ることにある。
【課題を解決するための手段】
【０００５】
請求項１の発明は、オスパイプの挿入部の外周の基端側に拡径部を設けるとともに、該挿入部の外周の先端側に突起を設け、メスパイプの開口部の内周に開口端から延びるガイド溝を設け、該開口部の内周の奥側にガイド溝に交差する係止溝を設けるとともに、該メスパイプのガイド溝と係止溝の交差部を含む軸方向の一定範囲に渡る貫通孔を設け、メスパイプの外周にロックリングを被着するとともに、ロックリングの内面に設けた突片状ストッパをメスパイプの貫通孔に貫入し、ロックリングをメスパイプの軸方向に移動することにより、突片状ストッパをガイド溝と係止溝の交差部の内外に位置付け可能にし、オスパイプの挿入部をメスパイプの開口部に挿入し、オスパイプの突起をメスパイプのガイド溝に進入させ、オスパイプを正回転して該突起をメスパイプのガイド溝から係止溝に係入し、両パイプを連結可能にし、ロックリングを軸方向に移動して突片状ストッパをガイド溝と係止溝の交差部外に位置付け、オスパイプを逆回転してオスパイプの突起を該係止溝からガイド溝に脱出させ、該突起を該ガイド溝から退出させつつオスパイプの挿入部をメスパイプの開口部から引き抜き可能にするようにしたものである。
【０００６】
請求項２の発明は、請求項１の発明において更に、前記オスパイプの拡径部をメスパイプの内径より小さい径から大きい径まで拡径し、前記メスパイプの開口端から係止溝までの距離ａを、オスパイプの拡径部を含む基端部から突起までの距離ｂより大きく、オスパイプの拡径部の拡径開始点から突起までの距離ｃより小さく設定するようにしたものである。
【０００７】
請求項３の発明は、請求項１又は２の発明において更に、前記ロックリングがメスパイプの外周に弾発的抱着力により被着し、該ロックリングの突片状ストッパの頂部がガイド溝に臨む面取部を備え、前記ロックリングの内面に設けた停留凸部がメスパイプの貫通状係止溝に係脱するようにしたものである。
【発明の効果】
【０００８】
（請求項１）
(a)両パイプの連結時には、オスパイプの挿入部をメスパイプの開口部に挿入し、オスパイプの突起をメスパイプのガイド溝に進入させ、オスパイプを正回転して該突起をメスパイプのガイド溝から係止溝に係入する。オスパイプを挿入して正回転するだけで両パイプを簡易に連結できる。
【０００９】
尚、ロックリングは突片状ストッパにより係止溝の入口（交差部）を塞ぐロック位置に停留している（ロック状態）。これにより、メスパイプの係止溝に係入したオスパイプの突起は、ロックリングの突片状ストッパにより保持される。
【００１０】
(b)両パイプの分離時には、ロックリングを軸方向に移動して突片状ストッパをガイド溝と係止溝の交差部外のロック解除位置に位置付け（ロック解除状態）、オスパイプを逆回転してオスパイプの突起を該係止溝からガイド溝に脱出させ、該突起を該ガイド溝から退出させつつオスパイプの挿入部をメスパイプの開口部から引き抜く。ロックリングを軸方向に移動してからオスパイプを逆回転して引き抜くだけで両パイプを簡易に分離できる。ロックリングの軸方向移動操作（ロック解除操作）を必要とするから、両パイプが清掃中に誤って分離してしまうことがない。
【００１１】
（請求項２）
(c)オスパイプの拡径部をメスパイプの内径より小さい径から大きい径まで拡径し、更に、メスパイプの開口端から係止溝までの距離ａを、オスパイプの拡径部を含む基端部から突起までの距離ｂより大きく、オスパイプの拡径部の拡径開始点から突起までの距離ｃより小さく設定した。従って、前述(a)のオスパイプの挿入端で、オスパイプを正回転してオスパイプの突起をメスパイプのガイド溝から係止溝に係入させるとき、突起のＲ面が係止溝の入口角に倣いながらオスパイプを軸方向に引き込むので、オスパイプの拡径部がメスパイプの内径に引き入れられてガタのない連結状態になる。
【００１２】
（請求項３）
(d)ロックリングがメスパイプの外周に弾発的抱着力により被着している。ロックリングの弾発力が、ロックリングの突片状ストッパをメスパイプの貫通孔に貫入した状態を維持する。オスパイプを正回転してオスパイプの突起をメスパイプのガイド溝から係止溝に係入させるとき、突起が突片状ストッパの頂部を乗り上げ通過する過程で該突起は該ストッパをロックリングの弾発力に抗して外方へ押出し、突起が係止溝に係入した後には、該ストッパがロックリングの弾発力により戻って係止溝を塞ぎ、該突起を係止溝内に保持する。
【００１３】
(e)ロックリングの突片状ストッパの頂部がガイド溝に臨む面取部を備える。これにより、上述(d)の突起をメスパイプのガイド溝から係止溝に係入させるとき、突起は容易に突片状ストッパの頂部を乗り上げ通過できる。尚、突片状ストッパの頂部は係止溝に臨む側には面取部を備えず、突起が係止溝から該ストッパの頂部を乗り越えることは容易としない。
【００１４】
(f)ロックリングの停留凸部がメスパイプの貫通状係止溝に係脱する。ロックリングが突片状ストッパにより係止溝を塞ぐロック位置に、ロックリングを安定的に停留できる。
【発明を実施するための最良の形態】
【００１５】
清掃具１０は、図１、図２に示す如く、柄１１の先端部に継手１２を介して支持アーム１３を清掃方向に交差する左右方向に揺動自在に結合し、支持アーム１３の両側アーム部１３Ａに枢着部１４を介してフレーム１５を清掃方向に沿う前後方向に揺動自在に支持している。
【００１６】
清掃具１０は、フレーム１５の清掃方向に沿う前後のそれぞれに掻き上げ体１６と接触回転体１７を支持し、掻き上げ体１６と接触回転体１７を床面上で転動させるとともに、掻き上げ体１６と接触回転体１７の上にはそれらに跨る粘着ロール（不図示）を設け、掻き上げ体１６に対する清掃方向の後部には塵取部（不図示）を設けている。図２において、１８は粘着ロールホルダ、１９は塵取部の後蓋である。
【００１７】
清掃具１０による清掃動作は以下の通りなされる。
(1)柄１１の軸方向に加える操作力によりフレーム１５を介して掻き上げ体１６及び接触回転体１７を床面に加圧しながら清掃具１０を前進させ、掻き上げ体１６及び接触回転体１７を回動させ、同時に粘着ロールを掻き上げ体１６と反対方向に回転させる。
【００１８】
(2)掻き上げ体１６が床面上のゴミを掻き上げると、このゴミは粘着ロールの側に送り出され、粘着ロールの粘着面に吸着捕捉される。大きなゴミは塵取部に送り込まれて捕捉される。
【００１９】
(3)粘着ロールの粘着面の全周に多量のゴミが捕捉されたことが視認されたら、粘着ロールホルダ１８を開き、粘着シートの１周分を剥離切断除去し、新規粘着面を露出せしめる。
【００２０】
(4)塵取部に多量のゴミがたまったことを視認したら、後蓋１９を開き、塵取部のゴミを廃棄する。
尚、清掃具１０は前進だけでなく、後進もできる。
【００２１】
以下、柄１１の構造について説明する。柄１１は、複数のパイプをそれらの連結部で順に雌雄結合した連結体である。各連結部でのパイプ相互の連結構造は実質的に同一であり、本実施例では、図２、図３に示す如く、柄１１のうちで、継手１２に最も近い連結部で連結されるオスパイプ２０とメスパイプ３０の連結構造を代表として説明する。
【００２２】
オスパイプ２０とメスパイプ３０の連結構造は以下の如くである。
(1)オスパイプ２０の円筒状挿入部２１の外周の基端側に拡径部２２を設けるとともに、挿入部２１の外周の先端側に突起２３を設ける。突起２３は、本実施例では、挿入部２１の外周の周方向で180度を介する２位置に設けられる。
【００２３】
挿入部２１の外径はメスパイプ３０の内径より僅かに小径をなす。拡径部２２はメスパイプ３０の内径より僅かに小さい径から大きい径まで拡径するテーパ状をなす。拡径部２２はリブ状をなすものでも良い。
【００２４】
(2)メスパイプ３０の円筒状開口部３１の内周に開口端から軸方向に延びるガイド溝３２を設け、開口部３１の内周の奥側にガイド溝３２に交差する係止溝３３を設ける。本実施例の係止溝３３はメスパイプ３０の壁を貫通する孔状をなす。ガイド溝３２と係止溝３３は、本実施例では開口部３１の内周の周方向で180度を介する２位置に設けられる。ガイド溝３２の溝巾はオスパイプ２０の突起２３の直径より大きい。
【００２５】
メスパイプ３０の開口端から係止溝３３までの距離ａを、オスパイプ２０の拡径部２２を含む基端部から突起２３までの距離ｂより大きく、オスパイプ２０の拡径部２２の拡径開始点から突起２３までの距離ｃより小さく設定する（図３）。
【００２６】
メスパイプ３０のガイド溝３２と係止溝３３の交差部を含む軸方向の一定範囲に渡ってメスパイプ３０の壁を貫通する貫通孔３４を設ける。貫通孔３４の軸方向長さＪは、係止溝３３の溝巾Ｋと後述するロックリング４０の突片状ストッパ４１の長さＬの和より大きく設定される。
【００２７】
(3)メスパイプ３０の外周にロックリング４０を被着する。ロックリング４０の内周に設けた突片状ストッパ４１をメスパイプ３０の貫通孔３４に貫入し、ロックリング４０をメスパイプ３０の軸方向に移動することにより、突片状ストッパ４１をガイド溝３２と係止溝３３の交差部（係止溝３３の入口）の内外（係止溝３３の入口を塞ぐロック位置と、係止溝３３の入口から離れるロック解除位置）に位置付け可能にする。突片状ストッパ４１は、本実施例では、ロックリング４０の内周の周方向で180度を介する２位置に設けられる。
【００２８】
ロックリング４０は、図４に示す如く、メスパイプ３０の外周に弾発的に抱着する習性を備えるＣ字リング状をなし、自らの弾発的抱着力によりメスパイプ３０の外周に被着する。ロックリング４０は、図５に示す如く、Ｃ字両端部をメスパイプ３０の周方向の一部に設けた突条部３５の両端部に相対することにより、メスパイプ３０への周方向取付位置を規制され、突片状ストッパ４１をメスパイプ３０の貫通孔３４に貫入可能にする。ロックリング４０のＣ字両端部は、メスパイプ３０の突条部３５に隙間なく接することにより、ロックリング４０を手指により徒らに拡開してメスパイプ３０から外すことを不可とするものでもある。
【００２９】
ロックリング４０は、メスパイプ３０の外周で軸方向に沿う前後２位置に設けた環状リブ３６Ａ、３６Ｂの間で、メスパイプ４０の軸方向に移動できる。ロックリング４０の外周には、使用者の手指が軸方向移動力を付与するに好適な多段突条グリップ４２が設けられる。
【００３０】
ロックリング４０は、突片状ストッパ４１の側傍に停留凸部４３を突設し、停留凸部４３をメスパイプ３０の外周側から貫通状係止溝３３に係脱可能にする。停留凸部４３がメスパイプ３０の係止溝３３に係合するとき、ロックリング４０はロック位置に位置付けられ（図６（Ａ））、停留凸部４３がメスパイプ３０の係止溝３３から脱するとき、ロックリング４０はロック解除位置に位置付けられる（図６（Ｂ））。
【００３１】
ロックリング４０は、突片状ストッパ４１の頂部に、該ロックリング４０がメスパイプ３０に被着された状態でガイド溝３２の側に臨む面取部４１Ａを備える（図３〜図５）。
【００３２】
(4)オスパイプ２０とメスパイプ３０の連結操作（図７、図８）。
オスパイプ２０の挿入部２１をメスパイプ３０の開口部３１に挿入し、オスパイプ２０の突起２３をメスパイプ３０のガイド溝３２に進入させ（図７）、続いてオスパイプ２０を正回転して突起２３をメスパイプ３０のガイド溝３２から係止溝３３に係入し、両パイプ２０、３０を連結する（図８）。
【００３３】
このとき、以下の作用効果を奏する。
(a)両パイプ２０、３０の連結時には、オスパイプ２０の挿入部２１をメスパイプ３０の開口部３１に挿入し、オスパイプ２０の突起２３をメスパイプ３０のガイド溝３２に進入させ、オスパイプ２０を正回転して該突起２３をメスパイプ３０のガイド溝３２から係止溝３３に係入する。オスパイプ２０を挿入して正回転するだけで両パイプ２０、３０を簡易に連結できる。
【００３４】
尚、ロックリング４０は突片状ストッパ４１により係止溝３３の入口（交差部）を塞ぐロック位置に停留している（ロック状態）。これにより、メスパイプ３０の係止溝３３に係入したオスパイプ２０の突起２３は、ロックリング４０の突片状ストッパ４１により保持される。
【００３５】
(b)オスパイプ２０の拡径部２２をメスパイプ３０の内径より小さい径から大きい径まで拡径し、更に、メスパイプ３０の開口端から係止溝３３までの距離ａを、オスパイプ２０の拡径部２２を含む基端部から突起２３までの距離ｂより大きく、オスパイプ２０の拡径部２２の拡径開始点から突起２３までの距離ｃより小さく設定した。従って、前述(a)のオスパイプ２０の挿入端で、オスパイプ２０を正回転してオスパイプ２０の突起２３をメスパイプ３０のガイド溝３２から係止溝３３に係入させるとき、突起２３のＲ面が係止溝３３の入口角に倣いながらオスパイプ２０を軸方向に引き込むので、オスパイプ２０の拡径部２２がメスパイプ３０の内径に引き入れられてガタのない連結状態になる。
【００３６】
(c)ロックリング４０がメスパイプ３０の外周に弾発的抱着力により被着している。ロックリング４０の弾発力が、ロックリング４０の突片状ストッパ４１をメスパイプ３０の貫通孔３４に貫入した状態を維持する。オスパイプ２０を正回転してオスパイプ２０の突起２３をメスパイプ３０のガイド溝３２から係止溝３３に係入させるとき、突起２３が突片状ストッパ４１の頂部を乗り上げ通過する過程で該突起２３は該ストッパ４１をロックリング４０の弾発力に抗して外方へ押出し、突起２３が係止溝３３に係入した後には、該ストッパ４１がロックリング４０の弾発力により戻って係止溝３３を塞ぎ、該突起２３を係止溝３３内に保持する。
【００３７】
(d)ロックリング４０の突片状ストッパ４１の頂部がガイド溝３２に臨む面取部４１Ａを備える。これにより、上述(c)の突起２３をメスパイプ３０のガイド溝３２から係止溝３３に係入させるとき、突起２３は容易に突片状ストッパ４１の頂部を乗り上げ通過できる。尚、突片状ストッパ４１の頂部は係止溝３３に臨む側には面取部を備えず、突起２３が係止溝３３から該ストッパ４１の頂部を乗り越えることは容易としない。
【００３８】
(e)ロックリング４０の停留凸部４３がメスパイプ３０の貫通状係止溝３３に係脱する。ロックリング４０が突片状ストッパ４１により係止溝３３を塞ぐロック位置に、ロックリング４０を安定的に停留できる。
【００３９】
(5)オスパイプ２０とメスパイプ３０の分離操作（図９）
ロックリング４０を軸方向に移動して突片状ストッパ４１をガイド溝３２と係止溝３３の交差部外（ロック解除位置）に位置付け、オスパイプ２０を逆回転してオスパイプ２０の突起２３を係止溝３３からガイド溝３２に脱出させ（図９）、該突起２３を該ガイド溝３２から退出させつつオスパイプ２０の挿入部２１をメスパイプ３０の開口部３１から引き抜く。
【００４０】
このとき、以下の作用効果を奏する。
両パイプ２０、３０の分離時には、ロックリング４０を軸方向に移動して突片状ストッパ４１をガイド溝３２と係止溝３３の交差部外のロック解除位置に位置付け（ロック解除状態）、オスパイプ２０を逆回転してオスパイプ２０の突起２３を該係止溝３３からガイド溝３２に脱出させ、該突起２３を該ガイド溝３２から退出させつつオスパイプ２０の挿入部２１をメスパイプ３０の開口部３１から引き抜く。ロックリング４０を軸方向に移動してからオスパイプ２０を逆回転して引き抜くだけで両パイプ２０、３０を簡易に分離できる。ロックリング４０の軸方向移動操作（ロック解除操作）を必要とするから、両パイプ２０、３０が清掃中に誤って分離してしまうことがない。
【図面の簡単な説明】
【００４１】
【図１】図１は清掃具の全体を示す斜視図である。
【図２】図２は清掃具の要部を示す斜視図である。
【図３】図３はオスパイプとメスパイプを示す斜視図である。
【図４】図４はロックリングを示し、（Ａ）は正面図、（Ｂ）は端面図である。
【図５】図５はメスパイプを示す断面図である。
【図６】図６はオスパイプとメスパイプの連結構造を示し、（Ａ）はロック状態を示す断面図、（Ｂ）はロック解除状態を示す断面図である。
【図７】図７はオスパイプ挿入過程を示す断面図である。
【図８】図８はオスパイプ正回転過程を示す断面図である。
【図９】図９はオスパイプ引き抜き過程を示す断面図である。
【符号の説明】
【００４２】
２０  オスパイプ
２１  挿入部
２２  拡径部
２３  突起
３０  メスパイプ
３１  開口部
３２  ガイド溝
３３  係止溝
３４  貫通孔
４０  ロックリング
４１  突片状ストッパ
４１Ａ  面取部
４３  停留凸部
【図１】
2007082723.tif 000003
【図２】
2007082723.tif 000004
【図３】
2007082723.tif 000005
【図４】
2007082723.tif 000006
【図５】
2007082723.tif 000007
【図６】
2007082723.tif 000008
【図７】
2007082723.tif 000009
【図８】
2007082723.tif 000010
【図９】
2007082723.tif 000011